(57)【要約】【課題】昇降路壁方向に一定の距離で配線経路を構成できるエレベータの塔内配線装置を提供する。【解決手段】乗り場ドア装置３の端部には配線保持手段である配線保持金具２３が取り付けられており、この配線保持金具２３に配線６が保持されている。この保持された配線６の一部は、乗り場機器５に接続されている。また、エレベータの乗り場敷居４には、別の配線保持手段である配線保持金具２４が取り付けられており、この配線保持金具２４にも配線６が保持されている。【選択図】図２
2008019053.tif 000002
【特許請求の範囲】
【請求項１】
エレベータに設置される電気機器の配線を昇降路内に施すエレベータの塔内配線装置において、
上記エレベータのドアを制御する乗り場ドア装置の端部に配線保持手段を取り付け、上記配線保持手段により上記配線を保持することを特徴とするエレベータの塔内配線装置。
【請求項２】
エレベータに設置される電気機器の配線を昇降路内に施すエレベータの塔内配線装置において、
上記エレベータの乗り場敷居の端部に配線保持手段を取り付け、上記配線保持手段により上記配線を保持することを特徴とするエレベータの塔内配線装置。
【請求項３】
エレベータに設置される電気機器の配線を昇降路内に施すエレベータの塔内配線装置において、
上記エレベータのドアを制御する最上階の乗り場ドア装置の端部に配線保持手段を取り付け、上記配線保持手段により上記配線を保持すると共に、上記配線保持手段を補強する補強部材を上記乗り場扉装置に取り付けたことを特徴とするエレベータの塔内配線装置。
【発明の詳細な説明】
【技術分野】
【０００１】
この発明は、エレベータの塔内配線装置に関するものであり、特に、エレベータに設置される電気機器の配線を昇降路内に施すエレベータの塔内配線装置に関するものである。
【背景技術】
【０００２】
従来、エレベータの塔内配線装置として、昇降路内の上下方向にワイヤを張設し、このワイヤに略沿って配線を並設するものがある。そして、固着手段を用いて最上部に位置する分岐箱の近傍、即ち昇降路内の最上部近傍で配線をワイヤに固着し、配線の荷重をワイヤに持たせるものが提案されている。このエレベータの塔内配線装置において、昇降路内外に配設された複数の電気機器の配線は、昇降路壁にアンカーボルトなどで取り付けられる昇降路用配線金具により固定されている（例えば、特許文献１参照）。
【０００３】
【特許文献１】特開平４−３６５７７６号公報（要約の欄、図１）
【発明の開示】
【発明が解決しようとする課題】
【０００４】
しかし、一般に、昇降路の大きさはエレベータの設置場所毎に異なるものであり、配線を固定する昇降路用配線金具の取り付け位置もエレベータの設置場所毎に異なるものである。このため、上記特許文献１に開示されたエレベータの塔内配線装置においては、予めエレベータの設置場所によって異なる昇降路の大きさによる昇降路誤差分を余長として含んだ配線を手配する必要があった。それにより、エレベータの設置場所毎に配線の余長が発生することになって、設置場所で配線の余長を整理し、結束する必要性が生じるため、エレベータの塔内配線に多大な労力と時間が掛かる問題点を有している。
【０００５】
この発明は、かかる問題点を解決することを目的としたもので、昇降路壁方向に一定の距離で配線経路を構成できるエレベータの塔内配線装置を提供するものである。
【課題を解決するための手段】
【０００６】
この発明によるエレベータの塔内配線装置は、エレベータに設置される電気機器の配線を昇降路内に施すエレベータの塔内配線装置において、エレベータのドアを制御する乗り場ドア装置の端部に配線保持手段を取り付け、この配線保持手段により配線を保持することを特徴とするものである。
【発明の効果】
【０００７】
この発明によれば、配線の経路を、乗り場ドア装置の長さ、あるいは乗り場敷居の長さと、配線保持手段の長さにより決定される位置が配線の経路となり、エレベータの設置場所における昇降路の大きさに影響されずに配線の施工が可能となる。そのため、昇降路誤差分を余長として含んだ電線を手配する必要がなく、エレベータの設置場所での電線の余長を整理し結束する時間を削減できる効果がある。
【発明を実施するための最良の形態】
【０００８】
以下に添付図面を参照して、この発明に係るエレベータの塔内配線装置について好適な実施の形態を説明する。
【０００９】
実施の形態１．
図１から図４はこの発明の実施の形態１を説明する図で、図１はエレベータかごが昇降する昇降路内を示す斜視図、図２はエレベータ乗り場の昇降路側からの斜視図、図３は乗り場ドア装置に配線保持金具を取り付け、この配線保持金具に配線を保持した状態を説明する図、図４は乗り場敷居に配線保持金具を取り付け、この配線保持金具に配線を保持した状態を説明する図である。
【００１０】
図１において、昇降路１には各階毎に乗客の出入り口２が設けられており、この出入り口２の上部にはエレベータのドアを制御する乗り場ドア装置３が取り付けられている。そして出入り口２の下部には乗り場敷居４が設けられている。乗り場ドア装置３には、乗り場機器５が取り付けられており、この乗り場機器５には、昇降路１の内外に配設された複数の電気機器（図示せず）の配線６の一部が集められている。なお、配線６は最上階から最下階に渡って設けられている。ここで、乗り場ドア装置３及び乗り場敷居４の長さは、共に、エレベータの設計施工にあたり、予め決定された長さとなっている。
【００１１】
次に、図２によりエレベータ乗り場について説明する。図２において、エレベータのドア２０は、乗り場ドア装置３に制御されて出入り口２（図１参照）を開閉する。このエレベータのドア２０は、金具２１を介して乗り場ドア装置３に設けられたレール２２に吊り下げられると共に、レール２２に沿って、出入り口２の開閉動作を行う。
【００１２】
乗り場ドア装置３の端部には配線保持手段である配線保持金具２３が取り付けられており、この配線保持金具２３に配線６が保持されている。この保持された配線６の一部は、乗り場機器５に接続されている。
【００１３】
また、エレベータの乗り場敷居４には、別の配線保持手段である配線保持金具２４が取り付けられており、この配線保持金具２４にも配線６が保持されている。
【００１４】
実施の形態１によるエレベータの塔内配線装置は上記のように構成されており、次に、その配線の施工方法について説明する。
【００１５】
エレベータに設置される電気機器の配線６を昇降路１内に施工するにあたり、予め、製作された乗り場ドア装置３の端部に配線保持金具２３を取り付けておき、また、乗り場敷居４の端部に配線保持金具２４を取り付けておく。そして、この配線保持金具２３が取り付けられた乗り場ドア装置３を各階毎に乗客の出入り口２の上部に設置する。また、配線保持金具２４が取り付けられた乗り場敷居４を各階毎に乗客の出入り口２の下部に設置する。その後、配線６を乗り場ドア装置３の端部に取り付けられた配線保持金具２３にバインド線３０（図３参照）で保持する。また、配線６を乗り場敷居４の端部に取り付けられた配線保持金具２４にバインド線４０（図４参照）で保持する。その後、乗り場ドア装置３の端部に取り付けられた配線保持金具２３で保持された配線６の一部を乗り場機器５に接続し、乗り場機器５から乗り場ドア装置３に接続する。これにより、乗り場ドア装置３は、エレベータのドア２０を制御することが可能になる。
【００１６】
以上のように、実施の形態１によるエレベータの塔内配線装置は、エレベータの施工にあたり、予め決定された長さの乗り場ドア装置３の端部に配線保持金具２３を取り付け、また乗り場敷居４に配線保持金具２４を取り付ける。そして、この配線保持金具２３、２４に配線６を保持する構成としたものである。
【００１７】
これにより、配線６の経路を乗り場ドア装置３の長さと配線保持金具２３の長さにより決定される位置、もしくは乗り場敷居４の長さと配線保持金具２４の長さにより決定される位置が配線６の経路となり、エレベータの設置場所における昇降路の大きさに影響されず配線６の施工が可能となる。そのため、昇降路誤差分を余長として含んだ配線６を手配する必要がなくなり、また、設置場所での配線６の余長を整理し結束する時間を削減できる効果がある。
【００１８】
なお、上記実施の形態１においては、乗り場ドア装置３の端部に配線保持金具２３を取り付け、また、乗り場敷居４の端部に配線保持金具２４を取り付け、この配線保持金具２３、２４に配線６を保持した例について図示説明したが、エレベータの施工条件を満足するのであれば、乗り場ドア装置３の端部に配線保持金具２３を取り付けて配線６を保持させるか、または、乗り場敷居４の端部に配線保持金具２４を取り付けて配線６を保持させるかのいずれか一方のみであっても同様の効果を奏するものである。
【００１９】
実施の形態２．
次に、この発明の実施の形態２について説明する。図５は最上階の乗り場ドア装置の端部に配線保持金具を取り付けた実施の形態を示すものである。
即ち、図５において、最上階の乗り場ドア装置３の端部に配線保持金具２３を取り付け、この配線保持金具２３の配線保持力を補強する補強部材５０を乗り場ドア装置３に取り付けたものである。この補強部材５０は、予め配線保持金具２３にねじ５１などの固定手段により一体化されており、配線保持金具２３と共に乗り場ドア装置３の端部に取り付けられるものである。そして、配線６は補強部材５０と配線保持金具２３との間にねじ５２により挟持されて保持される。なお、その他の構成については、実施の形態１と同様であるのでその説明を省略する。
【００２０】
この実施の形態２によれば、配線６を最上階の乗り場ドア装置３に取り付けられた配線保持金具２３により保持させることにより、この配線保持金具２３の配線保持力を補強する補強部材５０により、配線６の重量が保持されることになる。従って、最上階以外の階で配線保持金具２３により配線６の保持作業を行う場合、配線６の重量を支持する必要がなくなり、作業時間の短縮及び労力の軽減が可能となる。
【産業上の利用可能性】
【００２１】
以上のように、この発明によるエレベータの塔内配線装置は、昇降路内外に配設された複数の電気機器用配線の施工に利用できる。
【図面の簡単な説明】
【００２２】
【図１】この発明の実施の形態１によるエレベータかごが昇降する昇降路内を示す斜視図である。
【図２】この発明の実施の形態１によるエレベータ乗り場の昇降路側からの斜視図である。
【図３】この発明の実施の形態１による乗り場ドア装置に配線保持金具を取り付け、この配線保持金具に配線を保持した状態を説明する図である。
【図４】この発明の実施の形態１による乗り場敷居に配線保持金具を取り付け、この配線保持金具に配線を保持した状態を説明する図である。
【図５】この発明の実施の形態２における最上階の乗り場ドア装置に配線保持金具を取り付け、この配線保持金具に配線を保持した状態を説明する図である。
【符号の説明】
【００２３】
１  昇降路                          ２  出入り口
３  乗り場ドア装置                  ４  乗り場敷居
５  乗り場機器                      ６  配線
２０  ドア                            ２１  金具
２２  レール                          ２３，２４  配線保持金具
３０，４０  バインド線                ５０  補強部材
５１，５２  ねじ
【図１】
2008019053.tif 000003
【図２】
2008019053.tif 000004
【図３】
2008019053.tif 000005
【図４】
2008019053.tif 000006
【図５】
2008019053.tif 000007